(57)【要約】【課題】視聴者は、煩わしい録画作業をすることなく、興味に沿った番組を必ず視聴することができるような番組データ配信サービスシステムを提供する。【解決手段】インターネットに接続可能な端末１０１と番組を格納するサーバ１０２から構成され、端末１０１において、サービス加入者より入力部１０４に嗜好情報が入力されると、端末制御部１０６は、嗜好情報をインタフェース部１０７を介してサーバ１０２へ送信する。サーバ１０２において、インタフェース部１０８で受信した嗜好情報を基に、番組データ検索部１１０は、番組データ格納部１０９から番組を検索し、サーバ制御部１１１が検索結果である番組を、インタフェース部１０８を介して端末１０１へ送信する。端末１０１において、番組を番組データ格納部１０３に格納し、表示部１０５で表示する。【選択図】　図１
2004072300.tif 000002
【特許請求の範囲】
【請求項１】
サーバと端末の間で番組データ配信を行う番組データ配信サービスシステムであって、
前記端末は、ユーザーデータ入力手段と端末インタフェース手段と端末番組データ格納手段と表示手段とを有し、
ユーザーの嗜好情報を前記ユーザーデータ入力手段から入力してそれに基づく嗜好情報データを前記端末インタフェース手段を介して前記サーバに送信し、
前記サーバが送信した番組データを前記端末インタフェース手段を介して受信して前記端末番組データ格納手段に格納し、
前記端末番組データ格納手段に格納した番組データを前記表示手段により表示することを特徴とし、
前記サーバは、サーバインタフェース手段とサーバ番組データ格納手段と番組データ検索手段とを有し
前記端末が送信した嗜好情報データを前記サーバインタフェース手段を介して受信し、
前記サーバ番組データ格納手段に格納された番組データから前記嗜好情報データに基づく番組データを前記番組データ検索手段が検索抽出して前記サーバインタフェース手段を介して前記端末へ送信することを特徴とする番組データ配信サービスシステム。
【請求項２】
サーバと端末の間で番組データ配信を行う番組データ配信サービスシステムであって、
前記端末は、ユーザーデータ入力手段と端末インタフェース手段と端末番組データ格納手段と表示手段とを有し、
ユーザーの嗜好情報を前記ユーザーデータ入力手段から入力してそれに基づく嗜好情報データを前記端末インタフェース手段を介して前記サーバに送信し、
前記サーバが送信した検索結果情報データを前記端末インタフェース手段を介して受信してそれに基づく検索結果データを前記表示手段により表示し、
前記ユーザーデータ入力手段からユーザーの番組選択情報を入力してそれに基づく番組選択情報データを前記端末インタフェース手段を介して前記サーバに送信し、
前記サーバが送信した番組データを前記端末インタフェース手段を介して受信して前記端末番組データ格納手段に格納し、
前記端末番組データ格納手段に格納した番組データを前記表示手段により表示することを特徴とし、
前記サーバは、サーバインタフェース手段とサーバ番組データ格納手段と番組データ検索手段とを有し
前記端末が送信した嗜好情報データを前記サーバインタフェース手段を介して受信し、
前記サーバ番組データ格納手段に格納された番組データから前記嗜好情報データに基づく番組データを前記番組データ検索手段が検索して検索結果情報データを前記サーバインタフェース手段を介して前記端末へ送信し、
前記端末が送信した番組選択情報データを前記サーバインタフェース手段を介して受信し、
前記サーバ番組データ格納手段に格納された番組データから前記番組選択情報データに基づく番組データを前記番組データ検索手段が検索抽出して前記サーバインタフェース手段を介して前記端末へ送信することを特徴とする番組データ配信サービスシステム。
【請求項３】
前記端末は、ＩＤデータ格納手段を有し、
前記サーバが送信したＩＤデータを前記端末インタフェース手段を介して受信して前記ＩＤデータ格納手段に格納することを特徴とし、
前記サーバは、ＩＤデータ生成手段を有し、
前記ＩＤデータ生成手段が生成したＩＤデータを前記サーバインタフェース手段を介して前記端末へ送信することを特徴とする請求項１記載の番組データ配信サービスシステム。
【請求項４】
前記端末は、ＩＤデータ格納手段を有し、
前記ＩＤデータ格納手段に格納したＩＤデータを前記嗜好情報データとともに前記端末インタフェース手段を介して前記サーバに送信することを特徴とし、
前記サーバは、課金データ格納手段と課金データ更新手段とを有し、
前記端末が送信したＩＤデータを前記嗜好情報データとともに前記サーバインタフェース手段を介して受信し、
前記課金データ格納手段に格納された課金データを前記ＩＤデータに基づいて演算して保存することを特徴とする請求項１記載の番組データ配信サービスシステム。
【請求項５】
前記端末は、ＩＤデータ格納手段を有し、
前記ユーザーデータ入力手段からユーザーの評価情報を入力してそれに基づく評価情報データと前記ＩＤデータ格納手段に格納したＩＤデータを前記端末インタフェース手段を介して前記サーバに送信することを特徴とし、
前記サーバは、番組データ調整手段を有し、
前記端末が送信した評価情報データとＩＤデータを前記サーバインタフェース手段を介して受信し、
前記サーバ番組データ格納手段に格納された番組データの使用優先度を前記評価情報データに基づいて演算して前記ＩＤデータとともに対応付けて保存することを特徴とする請求項１記載の番組データ配信サービスシステム。
【請求項６】
前記サーバは、課金データ格納手段と課金データ更新手段とを有し、
前記サーバ番組データ格納手段に格納された番組データが前記サーバインタフェース手段を介して送信されると前記課金データ格納手段に格納された番組データの使用優先度に対応したＩＤのポイントデータを前記課金データ更新手段が演算して保存することを特徴とする請求項５記載の番組データ配信サービスシステム。
【請求項７】
前記サーバは、前記課金データ格納手段に格納された課金データを前記課金データ更新手段が前記ポイントデータに基づいて演算して保存することを特徴とする請求項６記載の番組データ配信サービスシステム。
【請求項８】
前記端末は、ＩＤデータ格納手段を有し、
前記ＩＤデータ格納手段に格納したＩＤデータを前記嗜好情報データとともに前記端末インタフェース手段を介して前記サーバに送信することを特徴とし、
前記サーバは、ＩＤ毎のユーザーデータベース格納手段を有し
前記端末が送信したＩＤデータを前記嗜好情報データとともに前記サーバインタフェース手段を介して受信し、
前記番組データ検索手段が前記サーバ番組データ格納手段に格納された番組データから前記嗜好情報データに基づく番組データを検索抽出して前記受信したＩＤデータに対応したユーザーデータベース格納手段に格納することを特徴とする請求項１記載の番組データ配信サービスシステム。
【請求項９】
前記端末は、前記サーバが送信した番組データ一覧情報データを前記端末インタフェース手段を介して受信してそれに基づく番組データ一覧情報を前記表示手段により表示し、
ユーザーの番組選択情報を前記ユーザーデータ入力手段から入力してそれに基づく番組選択情報データを前記端末インタフェース手段を介して前記サーバに送信することを特徴とし、
前記サーバは、前記端末が送信した番組選択情報データを前記ＩＤデータとともに前記サーバインタフェース手段を介して受信し、
前記サーバ番組データ格納手段に格納された番組データから前記番組選択情報データに基づく番組データを前記番組データ検索手段が検索して前記サーバインタフェース手段を介して前記端末へ送信することを特徴とする請求項８記載の番組データ配信サービスシステム。
【請求項１０】
前記サーバは、嗜好傾向抽出手段を有し、
前記ＩＤ毎のユーザーデータベース格納手段に格納された各々の番組データに基づいて前記嗜好傾向抽出手段が前記ＩＤ毎の類似ＩＤを抽出し、
前記類似ＩＤの番組データ一覧情報に基づく番組データ一覧情報を前記サーバインタフェース手段を介して前記端末に送信し、
前記端末が送信した番組選択情報データに基づいて自ＩＤのユーザーデータベース格納手段が格納していない番組データを類似ＩＤのユーザーデータベース格納手段より複写することを特徴とする請求項９記載の番組データ配信サービスシステム。
【請求項１１】
前記サーバは、課金データ格納手段と課金データ更新手段とを有し、
前記ユーザーデータベース格納手段に格納された番組データが他のユーザーデータベース格納手段に複写されると前記課金データ格納手段に格納された複写元のＩＤのポイントデータを前記課金データ更新手段が演算して保存することを特徴とする請求項１０記載の番組データ配信サービスシステム。
【請求項１２】
前記端末は、前記サーバが送信したダイアログデータを前記端末インタフェース手段を介して受信してそれに基づくダイアログを前記表示手段により表示し、
ユーザーのダイアログ回答情報を前記ユーザーデータ入力手段から入力してそれに基づくダイアログ回答情報を前記端末インタフェース手段を介して前記サーバに送信することを特徴とし、
前記サーバは、ユーザー嗜好を調査するダイアログデータを格納する対話格納手段を有し、
前記ダイアログデータを前記サーバインタフェース手段を介して前記端末に送信し、
前記端末が送信したダイアログ回答情報を前記サーバインタフェース手段を介して受信して前記ＩＤ毎のユーザーデータベース格納手段に格納し、
前記ＩＤ毎のユーザーデータベース格納手段に格納されたダイアログ回答情報が一定数を超えるとそれに基づく嗜好情報データを前記番組データ検索手段に出力することを特徴とする請求項８記載の番組データ配信サービスシステム。
【請求項１３】
前記端末は、前記サーバが送信したＣＭ配信情報データを前記端末インタフェース手段を介して受信してそれに基づくＣＭ配信情報を前記表示手段により表示し、
前記ユーザーデータ入力手段からユーザーのＣＭ配信許可情報を入力してそれに基づくＣＭ配信許可情報データを前記端末インタフェース手段を介して前記サーバに送信し、
前記サーバが送信したＣＭデータを前記端末インタフェース手段を介して受信してそれに基づくＣＭを前記表示手段により表示することを特徴とし、
前記サーバは、ＣＭ格納手段を有し、
ＣＭ格納手段に格納されたＣＭ配信情報データを前記サーバインタフェース手段を介して前記端末へ送信し、
前記端末が送信したＣＭ配信許可情報データを前記ＩＤデータとともに前記サーバインタフェース手段を介して受信し、
前記ＣＭ配信許可情報に基づいて前記ＣＭ格納手段に格納されたＣＭを前記サーバインタフェース手段を介して前記端末へ送信し、
前記課金データ格納手段に格納された課金データを前記ＩＤデータに基づいて演算して保存することを特徴とする請求項４記載の番組データ配信サービスシステム。
【請求項１４】
ユーザーデータ入力手段と端末インタフェース手段と端末番組データ格納手段と表示手段とを有し、
ユーザーの嗜好情報を前記ユーザーデータ入力手段から入力してそれに基づく嗜好情報データを前記端末インタフェース手段を介してサーバに送信し、
前記サーバが送信した番組データを前記端末インタフェース手段を介して受信して前記端末番組データ格納手段に格納し、
前記端末番組データ格納手段に格納した番組データを前記表示手段により表示することを特徴とする番組受信端末。
【請求項１５】
ユーザーデータ入力手段と端末インタフェース手段と端末番組データ格納手段と表示手段とを有し、
ユーザーの嗜好情報を前記ユーザーデータ入力手段から入力してそれに基づく嗜好情報データを前記端末インタフェース手段を介してサーバに送信し、
前記サーバが送信した検索結果情報データを前記端末インタフェース手段を介して受信してそれに基づく検索結果データを前記表示手段により表示し、
前記ユーザーデータ入力手段からユーザーの番組選択情報を入力してそれに基づく番組選択情報データを前記端末インタフェース手段を介して前記サーバに送信し、
前記サーバが送信した番組データを前記端末インタフェース手段を介して受信して前記端末番組データ格納手段に格納し、
前記端末番組データ格納手段に格納した番組データを前記表示手段により表示することを特徴とする番組受信端末。
【請求項１６】
ＩＤデータ格納手段を有し、
前記ＩＤデータ格納手段に格納したＩＤデータを前記嗜好情報データとともに前記端末インタフェース手段を介して前記サーバに送信することを特徴とする請求項１４記載の番組受信端末。
【請求項１７】
前記ＩＤデータ格納手段は携帯可能記録媒体に前記ＩＤデータを格納する手段であることを特徴とする請求項１６記載の番組受信端末。
【請求項１８】
サーバインタフェース手段とサーバ番組データ格納手段と番組データ検索手段とを有し
端末が送信した嗜好情報データを前記サーバインタフェース手段を介して受信し、
前記サーバ番組データ格納手段に格納された番組データから前記嗜好情報データに基づく番組データを前記番組データ検索手段が検索抽出して前記サーバインタフェース手段を介して前記端末へ送信することを特徴とする番組送信サーバ。
【請求項１９】
サーバインタフェース手段とサーバ番組データ格納手段と番組データ検索手段とを有し、
端末が送信した嗜好情報データを前記サーバインタフェース手段を介して受信し、
前記サーバ番組データ格納手段に格納された番組データから前記嗜好情報データに基づく番組データを前記番組データ検索手段が検索して検索結果情報データを前記サーバインタフェース手段を介して前記端末へ送信し、
前記端末が送信した番組選択情報データを前記サーバインタフェース手段を介して受信し、
前記サーバ番組データ格納手段に格納された番組データから前記番組選択情報データに基づく番組データを前記番組データ検索手段が検索抽出して前記サーバインタフェース手段を介して前記端末へ送信することを特徴とする番組送信サーバ。
【請求項２０】
前記サーバは、課金データ格納手段と課金データ更新手段とを有し、
前記端末が送信したＩＤデータを前記嗜好情報データとともに前記サーバインタフェース手段を介して受信し、
前記課金データ格納手段に格納された課金データを前記ＩＤデータに基づいて演算して保存することを特徴とする請求項１８記載の番組送信サーバ。
【請求項２１】
ユーザーポイントデータを格納するユーザーポイントデータ格納手段と、ユーザーポイントデータを演算するユーザーポイントデータ更新手段と、番組データと前記番組データに対応する評価ユーザー識別情報を含む番組評価情報データを格納する番組データ格納手段とを有し、
ユーザーが評価した番組評価情報がユーザー識別情報と共に入力されると、それに基づいて前記番組データ格納手段の番組評価情報データを更新保存し、
前記番組データ格納手段に格納された番組データが配信されると、前記ユーザーポイントデータ更新手段が前記番組データに対応する番組評価情報データに含まれるユーザーのポイントを演算して前記ユーザーポイントデータ格納手段に格納されたユーザーポイントデータを更新保存することを特徴とする番組評価データシステム。
【請求項２２】
課金データを格納する課金データ格納手段を有し、前記ユーザーポイントデータ格納手段に格納されたユーザーポイントデータに基づいて前記課金データ格納手段に格納された課金データを更新保存することを特徴とする請求項２１記載の番組評価データシステム。
【発明の詳細な説明】
【０００１】
【発明の属する技術分野】
本発明は、テレビ番組を予めデータベースに蓄積して配信するサービスシステムに関し、視聴者の興味ある番組の見逃しを防ぎ視聴することができる、番組データ配信サービスシステム、番組受信端末、番組送信サーバ、および番組評価データシステムに関する。
【０００２】
【従来の技術】
近年、テレビ放送において、デジタル放送が開始された。それに伴い、多チャンネル化が急速に進行しているため、人々は自分で自分の見たい番組を見つけることが困難になりつつある。そこで、こういう問題に対して、電子番組表などを用いた見たい番組のジャンルや番組名の検索方法が提案されている。
【０００３】
また、番組録画に関して従来人々は、記録メディアを自ら購入し、それらの残容量を意識しながら録画作業を行うことが常であった。もしも、残容量を勘違いしていたり、録画直前に記録メディアがないことを忘れていたなら、その後は録画作業を続行することはできなかった。そこで、近年、デジタル技術の発達に伴って、ＨＤＤベースの録画機も登場し、大容量の記録メディアを利用して番組録画を行えるようになったことに伴い、特開２００１−３４６１３７号公報に記載の「録画システム及び録画代行システム」では、視聴者の記録メディア切れなど録画できない場合であっても、番組の確実な予約録画をサービスすることができる番組予約・録画システム及び録画代行システムに関して述べられている。このシステムは、放送サービスを提供する放送局と放送波を受信して放送番組の視聴を享受する受信局と受信局に対して所定の事態において番組録画サービスを提供する録画センター局とで構成され、受信局側から録画センターへ録画代行要求を送信して番組の録画処理の代行を依頼する。録画センターは、録画代行要求に応じて指定された放送番組の受信及びその放送コンテンツの録画を行い、録画終了後は、録画コンテンツを所定時間経過後に要求元に自動配信、或いは、要求元からのダウンロード要求に応答して配信する。
【０００４】
【発明が解決しようとする課題】
だが、先に述べた番組検索方法においては、従来よりも操作方法が改善されてきたとはいえ、未だ複雑で煩わしい操作を伴うものであり、広い層に受け入れられてはいなかった。また、番組検索が簡単に行えたとしても放送を終了した番組に対しては検索することはできず、知らないうちに興味があり見たかったであろう番組を見逃す可能性は大きかった。また、後に述べた、「録画システム及び録画代行システム」によれば、見たい番組の見逃しを防ぐことができると期待される。だが、これに関しても予め何時にどういう番組がある、という番組情報を知っておく必要があり、もし知らなければ見たかったであろう番組を見逃す可能性は大きかった。
【０００５】
そこで、本発明は、視聴者の興味に沿った番組の見逃しを防ぎ視聴することができる、番組データ配信サービスシステム、番組受信端末、番組送信サーバ、および番組評価データシステムを提供することを目的とする。
【０００６】
【課題を解決するための手段】
第１の発明（請求項１に対応）は、サーバと端末の間で番組データ配信を行う番組データ配信サービスシステムであって、前記端末は、ユーザーデータ入力手段と端末インタフェース手段と端末番組データ格納手段と表示手段とを有し、ユーザーの嗜好情報を前記ユーザーデータ入力手段から入力してそれに基づく嗜好情報データを前記端末インタフェース手段を介して前記サーバに送信し、前記サーバが送信した番組データを前記端末インタフェース手段を介して受信して前記端末番組データ格納手段に格納し、前記端末番組データ格納手段に格納した番組データを前記表示手段により表示することを特徴とし、前記サーバは、サーバインタフェース手段とサーバ番組データ格納手段と番組データ検索手段とを有し前記端末が送信した嗜好情報データを前記サーバインタフェース手段を介して受信し、前記サーバ番組データ格納手段に格納された番組データから前記嗜好情報データに基づく番組データを前記番組データ検索手段が検索抽出して前記サーバインタフェース手段を介して前記端末へ送信することを特徴とする番組データ配信サービスシステムである。
【０００７】
上記発明によれば、サービス加入者が、テレビ番組における自分の嗜好を端末に入力してサーバへ送信すれば、サーバが、受信した嗜好情報を基に番組データベースの中から番組を検索し、検索結果の番組を端末へ送信し、サービス加入者により番組が視聴される。これにより、ユーザーは、既に放送が終了した番組においてもサーバから簡単に番組を取得することができるため、自分の興味に沿った番組の見逃しを防ぐことができる。さらに、ユーザーにおいて、録画しようという意志がなくても様々な番組を視聴することができるようになる。
【０００８】
第２の発明（請求項２に対応）は、サーバと端末の間で番組データ配信を行う番組データ配信サービスシステムであって、前記端末は、ユーザーデータ入力手段と端末インタフェース手段と端末番組データ格納手段と表示手段とを有し、ユーザーの嗜好情報を前記ユーザーデータ入力手段から入力してそれに基づく嗜好情報データを前記端末インタフェース手段を介して前記サーバに送信し、前記サーバが送信した検索結果情報データを前記端末インタフェース手段を介して受信してそれに基づく検索結果データを前記表示手段により表示し、前記ユーザーデータ入力手段からユーザーの番組選択情報を入力してそれに基づく番組選択情報データを前記端末インタフェース手段を介して前記サーバに送信し、前記サーバが送信した番組データを前記端末インタフェース手段を介して受信して前記端末番組データ格納手段に格納し、前記端末番組データ格納手段に格納した番組データを前記表示手段により表示することを特徴とし、前記サーバは、サーバインタフェース手段とサーバ番組データ格納手段と番組データ検索手段とを有し前記端末が送信した嗜好情報データを前記サーバインタフェース手段を介して受信し、前記サーバ番組データ格納手段に格納された番組データから前記嗜好情報データに基づく番組データを前記番組データ検索手段が検索して検索結果情報データを前記サーバインタフェース手段を介して前記端末へ送信し、前記端末が送信した番組選択情報データを前記サーバインタフェース手段を介して受信し、前記サーバ番組データ格納手段に格納された番組データから前記番組選択情報データに基づく番組データを前記番組データ検索手段が検索抽出して前記サーバインタフェース手段を介して前記端末へ送信することを特徴とする番組データ配信サービスシステムである。
【０００９】
上記発明によれば、サーバは、番組の検索を終了すると検索結果一覧を作成し端末へ送信する。端末において、サービス加入者により番組選択データが入力されると、端末は番組選択データをサーバへ送信し、サーバは番組選択データに基づく番組を端末へ送信する。これにより、ユーザーは、番組検索結果が複数ある場合受信する番組を選択することで、あまり見たいと思わない番組までも受信することがなくなり、ユーザーが保持する端末における記録メディアの内容をコントロールすることができる。また、番組データ配信の際の能率を上げることができる。
【００１０】
第３の発明（請求項３に対応）は、前記端末は、ＩＤデータ格納手段を有し、前記サーバが送信したＩＤデータを前記端末インタフェース手段を介して受信して前記ＩＤデータ格納手段に格納することを特徴とし、前記サーバは、ＩＤデータ生成手段を有し、前記ＩＤデータ生成手段が生成したＩＤデータを前記サーバインタフェース手段を介して前記端末へ送信することを特徴とする第１の発明記載の番組データ配信サービスシステムである。
【００１１】
上記発明によれば、サーバは、サービス加入者に対して加入時ユーザーＩＤを割り当てると端末へユーザーＩＤを送信し、端末は、受信したユーザーＩＤをサービス加入者の端末に挿入されたメモリカード等の記録媒体へ格納する。これにより、ユーザーが、端末にメモリカード等の記録媒体を挿入してサーバへアクセスした場合、サーバは、アクセスしてきたユーザーを判別できるようになる。
【００１２】
第４の発明（請求項４に対応）は、前記端末は、ＩＤデータ格納手段を有し、前記ＩＤデータ格納手段に格納したＩＤデータを前記嗜好情報データとともに前記端末インタフェース手段を介して前記サーバに送信することを特徴とし、前記サーバは、課金データ格納手段と課金データ更新手段とを有し、前記端末が送信したＩＤデータを前記嗜好情報データとともに前記サーバインタフェース手段を介して受信し、前記課金データ格納手段に格納された課金データを前記ＩＤデータに基づいて演算して保存することを特徴とする第１の発明記載の番組データ配信サービスシステムである。
【００１３】
上記発明によれば、例えばサービス加入者の端末においてメモリカード等の記録媒体を挿入した時、端末は、メモリカード内に記録されているユーザーＩＤを読み込み、サービス加入者の嗜好情報と一緒にサーバへ送信する。サーバは、嗜好情報とユーザーＩＤを受信すると、ユーザーＩＤに対応する課金データに嗜好情報料金分を反映し課金データを更新する。これにより、サービス業者は、ユーザーが嗜好情報を送信するたびに代金を回収することができ、サーバのメンテナンス費用等の経費を回収することができる。
【００１４】
第５の発明（請求項５に対応）は、前記端末は、ＩＤデータ格納手段を有し、前記ユーザーデータ入力手段からユーザーの評価情報を入力してそれに基づく評価情報データと前記ＩＤデータ格納手段に格納したＩＤデータを前記端末インタフェース手段を介して前記サーバに送信することを特徴とし、前記サーバは、番組データ調整手段を有し、前記端末が送信した評価情報データとＩＤデータを前記サーバインタフェース手段を介して受信し、前記サーバ番組データ格納手段に格納された番組データの使用優先度を前記評価情報データに基づいて演算して前記ＩＤデータとともに対応付けて保存することを特徴とする第１の発明記載の番組データ配信サービスシステムである。
【００１５】
上記発明によれば、例えばサーバは、検索結果である番組とサービス加入者の番組に対する評価を記入する画面を端末へ送信する。そして、端末は、サービス加入者により入力された評価データとメモリカード等の記録媒体から読み込んだユーザーＩＤをサーバへ送信する。サーバは、評価データとユーザーＩＤを受信すると、評価データに基づいて番組の配信する優先度を変更し、変更者としてユーザーＩＤを番組データに付加する。これにより、サービス業者は、ユーザーの番組に対する感想を把握することができるため、人気のある番組の配信頻度を上げることができ、サービス性を向上することができる。
【００１６】
第６の発明（請求項６に対応）は、前記サーバは課金データ格納手段と課金データ更新手段とを有し、前記サーバ番組データ格納手段に格納された番組データが前記サーバインタフェース手段を介して送信されると前記課金データ格納手段に格納された番組データの使用優先度に対応したＩＤのポイントデータを前記課金データ更新手段が演算して保存することを特徴とする第５の発明記載の番組データ配信サービスシステムである。
【００１７】
上記発明によれば、サーバは、ユーザーＩＤが付加された番組を他のサービス加入者へ配信すると、ユーザーＩＤに対応するポイントデータに番組評価分を加算しする。
【００１８】
これにより、ユーザーは、受信した番組の評価を行い、その番組が他のサービス加入者に配信されるとサービス業者側で保存されているポイント数を増加させることができ、評価を行えば行うほどポイントを取得できる可能性を高くすることができる。
【００１９】
第７の発明（請求項７に対応）は、前記サーバは、前記課金データ格納手段に格納された課金データを前記課金データ更新手段が前記ポイントデータに基づいて演算して保存することを特徴とする第６の発明記載の番組データ配信サービスシステムである。
【００２０】
上記発明によれば、例えば、サーバは、サービス加入者のポイント数がある一定の数を超えた場合に課金データの減算を行い課金データを更新する。これにより、ユーザーは、ポイントを取得してポイント数がある一定の数に到達した場合、後日サービス業者により請求されるサービス使用料を減額することができ、よりサービスを利用し易くなる。また、サービス業者は、サービス使用料を割り引くことで多くのサービス加入者を確保することができ、結果的に多くの収益を得ることができる。
【００２１】
第８の発明（請求項８に対応）は、前記端末は、ＩＤデータ格納手段を有し、前記ＩＤデータ格納手段に格納したＩＤデータを前記嗜好情報データとともに前記端末インタフェース手段を介して前記サーバに送信することを特徴とし、前記サーバは、ＩＤ毎のユーザーデータベース格納手段を有し前記端末が送信したＩＤデータを前記嗜好情報データとともに前記サーバインタフェース手段を介して受信し、前記番組データ検索手段が前記サーバ番組データ格納手段に格納された番組データから前記嗜好情報データに基づく番組データを検索抽出して前記受信したＩＤデータに対応したユーザーデータベース格納手段に格納することを特徴とする第１の発明記載の番組データ配信サービスシステムである。
【００２２】
上記発明によれば、例えば、サービス加入者が、サービス加入時メモリカード等の記録媒体を端末へ挿入すると、サーバは、サービス加入者に対してユーザーＩＤを割り当て端末へ送信しユーザーＩＤに対応するデータベースを生成する。端末は、受信したユーザーＩＤをメモリカード等の記録媒体へ格納する。その後、端末は、サービス加入者によりテレビ番組における嗜好情報が入力されると、ユーザーＩＤと嗜好情報をサーバへ送信する。サーバは、受信した嗜好情報を基に番組データベースの中から番組を検索し、検索結果である番組を受信したユーザーＩＤに対応するデータベースへ格納し、そのデータベースから番組を端末へ送信する。これにより、ユーザーは、既に放送が終了した番組においてもサーバから簡単に番組を取得することができるため、自分の興味に沿った番組の見逃しを防ぐことができる。さらに、ユーザーにおいて録画しようという意志がなくても、様々な番組を視聴することができるようになる。また、ユーザーは、保持している端末における記録メディアの容量を気にしなくても、サーバ上に自分専用の記録領域を確保することができ、サービス業者のサーバ内の記録領域でありながら、今まで保持してきた記録メディアとなんら変わらない扱いができ、記録領域内を自分の個性を生かした内容にすることができる。
【００２３】
第９の発明（請求項９に対応）は、前記端末は、前記サーバが送信した番組データ一覧情報データを前記端末インタフェース手段を介して受信してそれに基づく番組データ一覧情報を前記表示手段により表示し、ユーザーの番組選択情報を前記ユーザーデータ入力手段から入力してそれに基づく番組選択情報データを前記端末インタフェース手段を介して前記サーバに送信することを特徴とし、前記サーバは、前記端末が送信した番組選択情報データを前記ＩＤデータとともに前記サーバインタフェース手段を介して受信し、前記サーバ番組データ格納手段に格納された番組データから前記番組選択情報データに基づく番組データを前記番組データ検索手段が検索して前記サーバインタフェース手段を介して前記端末へ送信することを特徴とする第８の発明記載の番組データ配信サービスシステムである。
【００２４】
上記発明によれば、サーバは、受信した嗜好情報を基に番組を検索し、番組をユーザーＩＤに対応するデータベースに格納する際データベースの内容を示した番組データ一覧を作成して格納し、その後、番組データ一覧を端末へ送信する。端末は、受信した番組データ一覧を基に作成された番組の取得要求をサーバへ送信する。サーバは、番組の取得要求を受信すると要求された番組を端末へ送信する。これにより、ユーザーは、サーバ上にある自分専用データベースの内容を常に把握することができる。
【００２５】
第１０の発明（請求項１０に対応）は、前記サーバは、嗜好傾向抽出手段を有し、前記ＩＤ毎のユーザーデータベース格納手段に格納された各々の番組データに基づいて前記嗜好傾向抽出手段が前記ＩＤ毎の類似ＩＤを抽出し、前記類似ＩＤの番組データ一覧情報に基づく番組データ一覧情報を前記サーバインタフェース手段を介して前記端末に送信し、前記端末が送信した番組選択情報データに基づいて自ＩＤのユーザーデータベース格納手段が格納していない番組データを類似ＩＤのユーザーデータベース格納手段より複写することを特徴とする第９の発明記載の番組データ配信サービスシステムである。
【００２６】
上記発明によれば、サーバは、複数あるユーザーＩＤに対応するデータベースを嗜好傾向別に分類し、分類した結果同枠に位置されたデータベースのＩＤデータである類似ＩＤデータと類似ＩＤデータの番組データ一覧を端末へ送信する。端末は、類似ＩＤデータと番組データ一覧を受信するとサービス加入者により番組の取得要求が入力され、番組の取得要求をサーバへ送信する。サーバは、受信した番組の取得要求に基づいて類似ＩＤデータに対応するデータベースからＩＤデータに対応するデータベースへ番組をコピーし、コピー完了通知を端末へ送信する。これにより、ユーザーは、他に自分と嗜好が類似するサービス加入者のデータベース内に格納されている番組も視聴することができ、自分では見逃していた興味のある番組を確実に視聴することができる。
【００２７】
第１１の発明（請求項１１に対応）は、前記サーバは、課金データ格納手段と課金データ更新手段とを有し、前記ユーザーデータベース格納手段に格納された番組データが他のユーザーデータベース格納手段に複写されると前記課金データ格納手段に格納された複写元のＩＤのポイントデータを前記課金データ更新手段が演算して保存することを特徴とする第１０の発明記載の番組データ配信サービスシステムである。
【００２８】
上記発明によれば、サーバは、類似ＩＤデータに対応するデータベースからＩＤデータに対応するデータベースへ番組をコピーすると、類似ＩＤデータに対応するポイントデータにボーナスポイント分の加算を行い更新したポイントデータを端末へ送信する。これにより、ユーザーは、自分のデータベース内にある番組が他のサービス加入者のデータベースへコピーされた場合ボーナスポイントを取得することができ、自分のデータベースの内容を充実したものにすれば、他のサービス加入者にデータベース内の番組をコピーされることが多くなり、ポイント数を増加させることができる。
【００２９】
第１２の発明（請求項１２に対応）は、前記端末は、前記サーバが送信したダイアログデータを前記端末インタフェース手段を介して受信してそれに基づくダイアログを前記表示手段により表示し、ユーザーのダイアログ回答情報を前記ユーザーデータ入力手段から入力してそれに基づくダイアログ回答情報を前記端末インタフェース手段を介して前記サーバに送信することを特徴とし、前記サーバは、ユーザー嗜好を調査するダイアログデータを格納する対話格納手段を有し、前記ダイアログデータを前記サーバインタフェース手段を介して前記端末に送信し、前記端末が送信したダイアログ回答情報を前記サーバインタフェース手段を介して受信して前記ＩＤ毎のユーザーデータベース格納手段に格納し、前記ＩＤ毎のユーザーデータベース格納手段に格納されたダイアログ回答情報が一定数を超えるとそれに基づく嗜好情報データを前記番組データ検索手段に出力することを特徴とする第８の発明記載の番組データ配信サービスシステムである。
【００３０】
上記第１２の発明によれば、例えば、サーバは、ある特定の間隔でサービス加入者の嗜好を抽出するための対話ダイアログを端末へ送信する。端末は、受信した対話ダイアログにユーザーデータが入力されると、ユーザーデータをサーバへ送信する。サーバは、ユーザーデータを受信するとユーザーＩＤに対応するデータベースへ格納しデータベース内においてある一定数以上ユーザーデータが蓄積されると、ユーザーデータをキーワードに番組を検索する。これにより、ユーザーは、検索作業を行うという意識を持つことなく、嗜好情報をサーバへ送信することができ、その結果、自分の興味に沿った番組データをサーバ上にある自分専用データベースへ蓄積することができる。従って、サーバが、ユーザーの嗜好を自動的に分析し、ユーザーの気に入りそうな番組を収集してデータベースへ保存するため、ユーザーにおける、検索システムに対する“煩わしい”というイメージを除去することができる。
【００３１】
第１３の発明（請求項１３に対応）は、前記端末は、前記サーバが送信したＣＭ配信情報データを前記端末インタフェース手段を介して受信してそれに基づくＣＭ配信情報を前記表示手段により表示し、前記ユーザーデータ入力手段からユーザーのＣＭ配信許可情報を入力してそれに基づくＣＭ配信許可情報データを前記端末インタフェース手段を介して前記サーバに送信し、前記サーバが送信したＣＭデータを前記端末インタフェース手段を介して受信してそれに基づくＣＭを前記表示手段により表示することを特徴とし、前記サーバは、ＣＭ格納手段を有し、ＣＭ格納手段に格納されたＣＭ配信情報データを前記サーバインタフェース手段を介して前記端末へ送信し、前記端末が送信したＣＭ配信許可情報データを前記ＩＤデータとともに前記サーバインタフェース手段を介して受信し、前記ＣＭ配信許可情報に基づいて前記ＣＭ格納手段に格納されたＣＭを前記サーバインタフェース手段を介して前記端末へ送信し、前記課金データ格納手段に格納された課金データを前記ＩＤデータに基づいて演算して保存することを特徴とする第４の発明記載の番組データ配信サービスシステムである。
【００３２】
上記発明によれば、サーバは、コマーシャルデータを格納し例えばＣＭ配信許可画面を端末へ送信する。端末は、サービス加入者によりＣＭ配信許可データが入力されると、ＣＭ配信許可データをサーバへ送信する。サーバは、受信したＣＭ配信許可データに基づいてＣＭデータをユーザーＩＤに対応するデータベースへ格納し、その後ユーザーＩＤに対応する課金データを減算し、番組を端末へ送信する際ＣＭデータも一緒に送信する。これにより、ユーザーは、自分の嗜好に合ったＣＭを視聴することができ、興味のあるものに関して情報を入手することができ、日常生活に役立てることができる。また、番組と一緒にＣＭを受信することを許可したならば、サービス使用料を減額することができ、よりサービスを利用し易くなる。また、サービス業者にとっても、ＣＭを配信するユーザーのサービス使用料を割り引く代わりにＣＭデータを提供する業者からユーザーへの配信料を回収することができ、結果的に多くの収益を得ることができる。
【００３３】
第１４の発明（請求項１４に対応）は、ユーザーデータ入力手段と端末インタフェース手段と端末番組データ格納手段と表示手段とを有し、ユーザーの嗜好情報を前記ユーザーデータ入力手段から入力してそれに基づく嗜好情報データを前記端末インタフェース手段を介してサーバに送信し、前記サーバが送信した番組データを前記端末インタフェース手段を介して受信して前記端末番組データ格納手段に格納し、前記端末番組データ格納手段に格納した番組データを前記表示手段により表示することを特徴とする番組受信端末である。
【００３４】
第１５の発明（請求項１５に対応）は、ユーザーデータ入力手段と端末インタフェース手段と端末番組データ格納手段と表示手段とを有し、ユーザーの嗜好情報を前記ユーザーデータ入力手段から入力してそれに基づく嗜好情報データを前記端末インタフェース手段を介してサーバに送信し、前記サーバが送信した検索結果情報データを前記端末インタフェース手段を介して受信してそれに基づく検索結果データを前記表示手段により表示し、前記ユーザーデータ入力手段からユーザーの番組選択情報を入力してそれに基づく番組選択情報データを前記端末インタフェース手段を介して前記サーバに送信し、前記サーバが送信した番組データを前記端末インタフェース手段を介して受信して前記端末番組データ格納手段に格納し、前記端末番組データ格納手段に格納した番組データを前記表示手段により表示することを特徴とする番組受信端末である。
【００３５】
第１６の発明（請求項１６に対応）は、ＩＤデータ格納手段を有し、前記ＩＤデータ格納手段に格納したＩＤデータを前記嗜好情報データとともに前記端末インタフェース手段を介して前記サーバに送信することを特徴とする第１４の発明記載の番組受信端末である。
【００３６】
第１７の発明（請求項１７に対応）は、前記ＩＤデータ格納手段は携帯可能記録媒体に前記ＩＤデータを格納する手段であることを特徴とする第１６の発明記載の番組受信端末である。
【００３７】
第１８の発明（請求項１８に対応）は、サーバインタフェース手段とサーバ番組データ格納手段と番組データ検索手段とを有し端末が送信した嗜好情報データを前記サーバインタフェース手段を介して受信し、前記サーバ番組データ格納手段に格納された番組データから前記嗜好情報データに基づく番組データを前記番組データ検索手段が検索抽出して前記サーバインタフェース手段を介して前記端末へ送信することを特徴とする番組送信サーバである。
【００３８】
第１９の発明（請求項１９に対応）は、サーバインタフェース手段とサーバ番組データ格納手段と番組データ検索手段とを有し、端末が送信した嗜好情報データを前記サーバインタフェース手段を介して受信し、前記サーバ番組データ格納手段に格納された番組データから前記嗜好情報データに基づく番組データを前記番組データ検索手段が検索して検索結果情報データを前記サーバインタフェース手段を介して前記端末へ送信し、前記端末が送信した番組選択情報データを前記サーバインタフェース手段を介して受信し、前記サーバ番組データ格納手段に格納された番組データから前記番組選択情報データに基づく番組データを前記番組データ検索手段が検索抽出して前記サーバインタフェース手段を介して前記端末へ送信することを特徴とする番組送信サーバである。
【００３９】
第２０の発明（請求項２０に対応）は、前記サーバは、課金データ格納手段と課金データ更新手段とを有し、前記端末が送信したＩＤデータを前記嗜好情報データとともに前記サーバインタフェース手段を介して受信し、前記課金データ格納手段に格納された課金データを前記ＩＤデータに基づいて演算して保存することを特徴とする第１８の発明記載の番組送信サーバである。
【００４０】
第２１の発明（請求項２１に対応）は、ユーザーポイントデータを格納するユーザーポイントデータ格納手段と、ユーザーポイントデータを演算するユーザーポイントデータ更新手段と、番組データと前記番組データに対応する評価ユーザー識別情報を含む番組評価情報データを格納する番組データ格納手段とを有し、ユーザーが評価した番組評価情報がユーザー識別情報と共に入力されると、それに基づいて前記番組データ格納手段の番組評価情報データを更新保存し、前記番組データ格納手段に格納された番組データが配信されると、前記ユーザーポイントデータ更新手段が前記番組データに対応する番組評価情報データに含まれるユーザーのポイントを演算して前記ユーザーポイントデータ格納手段に格納されたユーザーポイントデータを更新保存することを特徴とする番組評価データシステムである。
【００４１】
上記発明によれば、ユーザーが評価入力した番組が配信された場合に、評価ユーザーのポイントを上げることが出来るので、評価入力するユーザーを増やすことが出来る。
【００４２】
第２２の発明（請求項２２に対応）は、課金データを格納する課金データ格納手段を有し、前記ユーザーポイントデータ格納手段に格納されたユーザーポイントデータに基づいて前記課金データ格納手段に格納された課金データを更新保存することを特徴とする第２１の発明記載の番組評価データシステムである。
【００４３】
【発明の実施の形態】
以下、本発明の実施の形態について、図面を用いて説明する。
【００４４】
（第１の実施の形態）
図１は、本発明の第１の実施の形態に係る番組データ配信サービスシステムの構成を示すブロック図である。
【００４５】
図１に示すように、第１の実施の形態における番組データ配信サービスシステムは、サービス加入者の嗜好情報データを送信し、番組データのダウンロードを受ける、インターネットに接続可能なサービス加入者側の端末１０１と、番組データを格納して番組データ配信を行う、サービス業者側のサーバ１０２とを備えている。
【００４６】
端末１０１は、番組データを格納する番組データ格納部１０３、データを入力する入力部１０４、番組データを画面に表示する表示部１０５、入力部１０４から入力された嗜好情報データをインタフェース部１０７を介してサーバ１０２へ送信し、また、インタフェース部１０７から入力された番組データを番組データ格納部１０３へ格納し、番組データ格納部１０３に格納された番組データを表示部１０５へ出力する端末制御部１０６、および、データの送受信を行うインタフェース部１０７とを有している。
【００４７】
サーバ１０２は、データの送受信を行うインタフェース部１０８、番組データを格納する番組データ格納部１０９、番組データ格納部１０９の中から番組データを検索する番組データ検索部１１０、および、インタフェース部１０８から入力された嗜好情報データを番組データ検索部１１０へ出力し、番組データ検索部１１０から出力された番組データをインタフェース部１０８を介して端末１０１へ送信するサーバ制御部１１１を有している。
【００４８】
端末１０１では、入力部１０４にサービス加入者の嗜好情報データが入力されると、端末制御部１０６が、嗜好情報データをインタフェース部１０７を介してサーバ１０２へ送信する。
【００４９】
サーバ１０２において、インタフェース部１０８で嗜好情報データを受信すると、サーバ制御部１１１は、嗜好情報データを番組データ検索部１１０へ出力する。番組データ検索部１１０は、番組データ格納部１０９の中に格納されている番組データの中から、サーバ制御部１１１から出力された嗜好情報データに合致する番組データを抽出し、検索結果一覧を作成し、サーバ制御部１１１へ出力する。サーバ制御部１１１は、番組データ検索部１１０から検索結果一覧が出力されると、インタフェース部１０８を介して端末１０１へ検索結果一覧を送信する。
【００５０】
端末１０１において、インタフェース部１０７で検索結果一覧を受信すると、端末制御部１０６は、検索結果一覧を表示部１０５へ出力し、サービス加入者に対して番組選択データ入力を促す。サービス加入者により番組選択データが入力部１０４に入力されると、端末制御部１０６は、番組選択データをインタフェース部１０７を介してサーバ１０２へ送信する。
【００５１】
サーバ１０２において、インタフェース部１０８で番組選択データを受信すると、サーバ制御部１１１は、番組選択データを番組データ検索部１１０へ出力する。番組データ検索部１１０は、サーバ制御部１１１から番組選択データが出力されると、番組選択データに相当する番組データをサーバ制御部１１１へ出力する。サーバ制御部１１１は、番組データ検索部１１０から番組データが出力されると、番組データをインタフェース部１０８を介して端末１０１へ送信する。
【００５２】
図２は、番組データ格納部１０９内に番組データが格納されている様子を示す図である。
【００５３】
図２に示すように、番組データ格納部１０９において、番組データは、［面白い−つまらない］、［興奮−癒し］、［勉強−遊び］という３つの評価軸から構成された３次元空間において、（［面白い（＋１００）−つまらない（−１００）］、［興奮（＋１００）−癒し（−１００）］、［勉強（＋１００）−遊び（−１００）］）と設定された３次元の座標に基づいて、配置されている。
【００５４】
サーバ制御部１１１は、予め、サービス加入者へ配信する番組データを番組データ格納部１０９へ格納する際、番組データの内容に関する評価を行い、どういう番組か、という判定を下す。判定を下すと、その判定から、３次元空間のどの場所に格納するか、という座標を抽出する。例えば、ある番組データに対して、“馬鹿げてるが楽しい”と判定したとする。“馬鹿げている”“楽しい”という要素から、３次元座標（＋８０，＋７０，−８０）が抽出される。そしてその後、番組データ格納部１０９内の、［面白い−つまらない］軸の値が＋８０、［興奮−癒し］軸の値が＋７０、［勉強−遊び］軸の値が−８０の位置に番組データを格納する。最後に、判定と座標とを対応付けたテーブルを作成し、番組データ検索部１１０へ出力する。
【００５５】
番組データ検索部１１０は、サーバ制御部１１１から嗜好情報データが出力されると、サーバ制御部１１１が作成したテーブルを参照して嗜好情報データを番組データ格納部１０９内の３次元座標に変換する。例えば、嗜好情報データが“興奮”である場合、嗜好情報“興奮”を座標（０，＋１００，０）に変換し、番組データ格納部１０９における、（０，＋１００，０）に位置する番組データをすべて抽出し、抽出した番組データに基づいて検索結果一覧を作成し、サーバ制御部１１１へ出力する。
【００５６】
以下、その動作を、嗜好情報データが“やすらぐ”である場合の、具体例を用いて説明する。
【００５７】
図３は、本発明の第１の実施の形態に係る番組データ配信サービスシステムの処理の流れを示すフローチャートである。
【００５８】
図３において、まず、サービス加入者側の端末１０１において、サービス加入者により嗜好情報“やすらぐ”が入力部１０４へ入力されると、端末制御部１０６は、嗜好情報“やすらぐ”をサービス業者側サーバ１０２へ送信する（ステップＳ１）。
【００５９】
サーバ１０２において、インタフェース部１０８で嗜好情報“やすらぐ”を受信すると（ステップＳ５）、サーバ制御部１１１は、嗜好情報“やすらぐ”を番組データ検索部１１０へ出力する。番組データ検索部１１０は、サーバ制御部１１１から出力された嗜好情報“やすらぐ”を、番組データの判定と番組データ格納部１０９内の座標とが対応付けられたテーブルを参照し、嗜好情報“やすらぐ”に対応する座標（＋２０，−１００，０）に変換する（ステップＳ６）。そして、番組データ格納部１０９内の座標（＋２０，−１００，０）に位置する番組データ「ベビーモーツァルト」、「ムツゴロウと愉快な仲間たち」を抽出し（ステップＳ７）、検索結果一覧を作成し、サーバ制御部１１１へ出力する（ステップＳ８）。サーバ制御部１１１は、番組データ検索部１１０から出力された検索結果一覧を、インタフェース部１０８を介して端末１０１へ送信する（ステップＳ８）。
【００６０】
端末１０１において、インタフェース部１０７で検索結果一覧を受信すると、端末制御部１０６は、検索結果一覧を表示部１０５へ出力する（ステップＳ２）。サービス加入者により、表示された検索結果一覧を確認した上、番組選択データ“ベビーモーツァルト”が入力されると、端末制御部１０６は、番組選択データ“ベビーモーツァルト”をインタフェース部１０７を介してサーバ１０２へ送信する（ステップＳ３）。
【００６１】
サーバ１０２において、インタフェース部１０８で番組選択データ“ベビーモーツァルト”を受信すると（ステップＳ９）、サーバ制御部１１１は、番組選択データ“ベビーモーツァルト”を番組データ検索部１１０へ出力する。番組データ検索部１１０は、サーバ制御部１１１から出力された番組選択データ“ベビーモーツァルト”に相当する番組データ「ベビーモーツァルト」をサーバ制御部１１１へ出力する。サーバ制御部１１１は、番組データ検索部１１０から出力された番組データ「ベビーモーツァルト」を、インタフェース部１０８を介して端末１０１へ送信する（ステップＳ１０）。
【００６２】
端末１０１において、インタフェース部１０７で番組データ「ベビーモーツァルト」を受信すると、端末制御部１０６は、番組データ「ベビーモーツァルト」を番組データ格納部１０３へ格納する（ステップＳ４）。
【００６３】
その後は、サービス加入者から番組データ表示要求が入力された時に、端末制御部１０６は、番組データを番組データ格納部１０３から表示部１０５へ出力する。
【００６４】
なお、ここでは、番組データ格納部１０９について、［面白い−つまらない］、［興奮−癒し］、［勉強−遊び］という内容の評価軸から構成される３次元空間について述べたが、評価軸の内容は、これら以外の内容（［恐怖−安眠］など）でもよい。また、ここでは、１つの３次元空間について述べたが、“ドラマ”、“スポーツ”、というジャンルごとに３次元空間が存在してもよい。また、ここでは、３つの評価軸を含む３次元空間について述べたが、より多くの評価軸を含んだ多次元空間で実現してもよい。
【００６５】
さらに、ここでは、番組データ格納部１０９において、番組データを格納する期限を設けていなかったが、予め、番組データを格納しておく期限を定め、それに従って番組データを削除してもよい。
【００６６】
これにより、ユーザーは、サーバから簡単に番組を取得できるため、自分の興味に沿った番組の見逃しを防ぐことができる。さらに、ユーザーにおいて、録画しようという意志がなくても、様々な番組を視聴することができるようになる。また、ユーザーは、番組検索結果が複数ある場合、受信する番組を選択することで、あまり見たいと思わない番組までも受信することがなくなり、ユーザーが保持する端末における記録メディアの内容をコントロールすることができる。さらに、番組データ配信の際の能率を上げることができる。
【００６７】
なお、本実施の形態では、ユーザーの嗜好情報にあった番組を検索したが、必ずしもこれに限定するものではなく、例えば、ユーザーの嗜好情報に完全にあったものでは無く近いものや反対のものを検索して送っても良い。これにより、嗜好情報にあった番組が少なかったり全て見終わった場合により近い番組を配信することが出来るし、また、嗜好情報と反対の番組を送ることによりユーザーがこれまで知らなかった新しい番組を知ったり見る機会を作ることも可能となる。
【００６８】
（第２の実施の形態）
第２の実施の形態では、第１の実施の形態と同様にして、サーバ１０２が、サービス加入者の嗜好情報データを基に番組データの検索を行い、端末１０１へ番組データ配信を行う。第１の実施の形態との相違は、端末１０１が、メモリカード等の記録媒体内のデータに対して読み込みや書き込みを行い、サーバ１０２が、サービス加入時にサービス加入者に対してユーザーＩＤを割り当て、ユーザーＩＤに対応する課金データを、嗜好情報データを受信するごとに更新し、後日、サービス業者が、ユーザーＩＤに相当するサービス加入者へ、課金データに基づいてサービス使用料を請求する点だけである。
【００６９】
図４は、本発明の第２の実施の形態に係る番組データ配信サービスシステムの構成を示す図である。
【００７０】
図４において、１０１〜１１１は、第１の実施の形態における、端末１０１、サーバ１０２、番組データ格納部１０３、入力部１０４、表示部１０５、端末制御部１０６、インタフェース部１０７、インタフェース部１０８、番組データ格納部１０９、番組データ検索部１１０、サーバ制御部１１１と同様である。そして、４０１は、メモリカード等の記録媒体内に対してデータの読み込みや書き込みを行う記録媒体読み書き部、４０２は、サービス加入時にサービス加入者に対してユーザーＩＤを割り当てるＩＤ生成部、４０３は、課金データの更新を行う課金データ更新部、４０４は、ユーザーＩＤに対応する課金データを格納する課金データ格納部である。
【００７１】
まず、サービス加入時における動作について、以下に述べる。
【００７２】
端末１０１において、サービス加入者により、記録媒体読み書き部４０１にメモリカード等の記録媒体が挿入される。端末制御部１０６は、記録媒体読み書き部４０１にメモリカード等の記録媒体が挿入されると、挿入通知をインタフェース部１０７を介してサーバ１０２へ送信する。
【００７３】
サーバ１０２において、インタフェース部１０８で挿入通知を受信すると、サーバ制御部１１１は、挿入通知をＩＤ生成部４０２へ出力する。ＩＤ生成部４０２は、サーバ制御部１１１から挿入通知が出力されると、サービス加入者に対してユーザーＩＤを割り当て、そのＩＤデータをサーバ制御部１１１へ出力する。サーバ制御部１１１は、ＩＤ生成部４０２からＩＤデータが出力されると、ＩＤデータをインタフェース部１０８を介して端末１０１へ送信する。
【００７４】
端末１０１において、インタフェース部１０７でＩＤデータを受信すると、端末制御部１０６は、ＩＤデータを記録媒体読み書き部４０１へ出力する。記録媒体読み書き部４０１は、端末制御部１０６からＩＤデータが出力されると、ＩＤデータを挿入されているメモリカード等の記録媒体へ書き込む。
【００７５】
次に、サービス加入後の動作について、以下に述べる。
【００７６】
端末１０１において、サービス加入者により、記録媒体読み書き部４０１にメモリカード等の記録媒体が挿入される。記録媒体読み書き部４０１は、メモリカード等の記録媒体内に記録されているＩＤデータを読み込み、端末制御部１０６へ出力する。そして、サービス加入者により、入力部１０４に嗜好情報データが入力されると、端末制御部１０６は、記録媒体読み書き部４０１から出力されたＩＤデータと、入力部１０４から入力された嗜好情報データを、インタフェース部１０７を介してサーバ１０２へ送信する。
【００７７】
サーバ１０２において、インタフェース部１０８でＩＤデータと嗜好情報データを受信すると、サーバ制御部１１１は、ＩＤデータを課金データ更新部４０３へ、嗜好情報データを番組データ検索部１１０へ出力する。番組データ検索部１１０へ嗜好情報データが出力されてからの動作は、第１の実施の形態と同様に行われるものとする。課金データ更新部４０３は、サーバ制御部１１１からＩＤデータが出力されると、ＩＤデータに対応する課金データを課金データ格納部４０４から検索し、検索結果である課金データに、嗜好情報分の代金を加算し、課金データを更新して再び課金データ格納部４０４へ格納する。そして後日、サービス業者により、ＩＤデータに対応するサービス加入者へ、課金データ格納部４０４に格納されているＩＤデータに対応する課金データに基づき、サービス使用料が請求される。
【００７８】
以下、サービス加入後の動作を、第１の実施の形態と同様の具体例を用い、メモリカード等の記録媒体をメモリカードとして説明する。
【００７９】
図５は、本発明の第２の実施の形態に係る番組データ配信サービスシステムの処理の流れを示すフローチャートである。
【００８０】
図５において、まず、端末１０１において、記録媒体読み書き部４０１は、挿入されたメモリカードに記録されているＩＤデータを読み込み、端末制御部１０６へ出力する（ステップＳ１１）。次に、サービス加入者により、入力部１０４に嗜好情報“やすらぐ”が入力されると、端末制御部１０６は、記録媒体読み書き部４０１から出力されたＩＤデータと、入力部１０４から入力された嗜好情報“やすらぐ”を、インタフェース部１０７を介してサーバ１０２へ送信する（ステップＳ１２）。
【００８１】
サーバ１０２において、インタフェース部１０８でＩＤデータと嗜好情報“やすらぐ”を受信すると（ステップＳ１６）、サーバ制御部１１１は、ＩＤデータを課金データ更新部４０３へ、嗜好情報“やすらぐ”を番組データ検索部１１０へ出力する。番組データ検索部１１０は、サーバ制御部１１１から嗜好情報“やすらぐ”が出力されると、第１の実施の形態と同様にして、番組データ格納部１０９内より番組データ「ベビーモーツァルト」と「ムツゴロウと愉快な仲間たち」を抽出し、それに基づく検索結果一覧を作成してサーバ制御部１１１へ出力する（ステップＳ１７）。課金データ更新部４０３は、サーバ制御部１１１からＩＤデータが出力されると、ＩＤデータに対応する課金データを課金データ格納部４０４から検索し、ＩＤデータに対応する課金データに、嗜好情報“やすらぐ”分の代金を加算し、課金データを更新して再び課金データ格納部４０４へ格納する（ステップＳ１８）。
【００８２】
そしてその後は、第１の実施の形態と同様に、サーバ制御部１１１は、番組データ検索部１１０から出力された検索結果一覧を、インタフェース部１０８を介して端末１０１へ送信し（ステップＳ１９）、端末制御部１０６は、サーバ１０２より受信した検索結果一覧を表示部１０５へ出力し（ステップＳ１３）、サービス加入者により入力された番組選択データ“ベビーモーツァルト”をインタフェース部１０７を介してサーバ１０２へ送信し（ステップＳ１４）、サーバ１０２は、インタフェース部１０８で番組選択データ“ベビーモーツァルト”を受信すると（ステップＳ２０）、サーバ制御部１１１は、番組選択データ“ベビーモーツァルト”を番組データ検索部１１０へ出力し、番組データ検索部１１０は、サーバ制御部１１１から出力された番組選択データ“ベビーモーツァルト”に相当する番組データ「ベビーモーツァルト」をサーバ制御部１１１へ出力し、サーバ制御部１１１は、番組データ検索部１１０から出力された番組データ「ベビーモーツァルト」を、インタフェース部１０８を介して端末１０１へ送信する（ステップＳ２１）し、端末１０１は、インタフェース部１０７で番組データ「ベビーモーツァルト」を受信すると、端末制御部１０６は、番組データ「ベビーモーツァルト」を番組データ格納部１０３へ格納する（ステップＳ１５）。
【００８３】
なお、ここでは、端末制御部１０６において、インタフェース部１０７で受信した番組データを第１の実施の形態と同様に番組データ格納部１０３へ格納しているが、番組データを記録媒体読み書き部４０１へ出力し、記録媒体読み書き部４０１が、メモリカード等の記録媒体に番組データを書き込み、メモリカード等の記録媒体内に番組データを格納してもよい。
【００８４】
これにより、ユーザーは、メモリカード等の記録媒体を読み込む機能が搭載された別の端末においても番組を視聴することができ、番組のデータを容易に持ち運ぶことができるようになる。さらに、端末が携帯できるものである場合、移動中においても番組を視聴することができるようになる。また、ユーザーが、端末にメモリカード等の記録媒体を挿入してサーバへアクセスした場合、サーバが、アクセスしてきたユーザーを判別することで、サービス業者は、ユーザーが嗜好情報をサーバへ送信するたびに、ユーザーのＩＤと対応する課金データを更新して嗜好情報代金を回収することができ、サーバのメンテナンス費用や運営費等の経費を確実に回収することができる。
【００８５】
（第３の実施の形態）
第３の実施の形態では、第２の実施の形態と同様にして、端末１０１が、メモリカード等の記録媒体内のデータに対して読み込みや書き込みを行い、サーバ１０２が、サービス加入時にサービス加入者に対してユーザーＩＤを割り当て、受信したサービス加入者の嗜好情報を基に番組の検索を行い、ユーザーＩＤに対応する課金データを、嗜好情報を受信するごとに更新し、端末１０１へ番組データ配信を行い、後日、サービス業者が、ユーザーＩＤに相当するサービス加入者へ、課金データに基づいてサービス使用料を請求する。第２の実施の形態との相違は、サーバ１０２が、サービス加入者が行った番組の評価に基づいて、番組を配信する優先度を変更し、サービス加入者が評価したことで優先度が上がった番組が、他のサービス加入者の端末へ配信された場合に、評価したサービス加入者へボーナスポイントを与え、ポイント数がある一定の数以上蓄積された場合、サービス加入者に請求するサービス使用料を割り引く点である。
【００８６】
図６は、本発明の第３の実施の形態に係る番組データ配信サービスシステムの構成を示すブロック図である。
【００８７】
図６において、１０１〜１１１、４０１、４０２は、第２の実施の形態における、端末１０１、サーバ１０２、番組データ格納部１０３、入力部１０４、表示部１０５、端末制御部１０６、インタフェース部１０７、インタフェース部１０８、番組データ格納部１０９、番組データ検索部１１０、サーバ制御部１１１、記録媒体読み書き部４０１、ＩＤ生成部４０２と同様である。そして、６０１は、番組データ格納部１０９内の番組データの配信優先度の変更を行う番組データ調整部、６０２は、ユーザーＩＤに対応する課金データとポイントデータを更新する課金データ更新部、６０３は、ユーザーＩＤに対応する課金データとポイントデータを格納する課金データ格納部である。
【００８８】
番組データ検索部１１０からサーバ制御部１１１へ番組データが出力されるまでは、第２の実施の形態と同様の動作を行う。
【００８９】
サーバ１０２において、サーバ制御部１１１は、番組データ検索部１１０から番組データが出力されると、サービス加入者の番組に対する評価を入力するコメント入力画面を、番組データと一緒にインタフェース部１０８を介して端末１０１へ送信する。
【００９０】
端末１０１において、インタフェース部１０７でコメント入力画面と番組データを受信すると、端末制御部１０６は、コメント入力画面と番組データを表示部１０５へ出力する。そして、サービス加入者により入力部１０４に評価データが入力されると、評価データと、記録媒体読み書き部４０１から出力されたＩＤデータを、インタフェース部１０７を介してサーバ１０２へ送信する。
【００９１】
サーバ１０２において、インタフェース部１０８で評価データとＩＤデータが受信されると、サーバ制御部１１１は、評価データとＩＤデータを番組データ調整部６０１へ出力する。番組データ調整部６０１は、サーバ制御部１１１から出力された評価データに基づいて番組データの配信優先度を変更し、ＩＤデータを変更者として番組データに付加する。
【００９２】
番組データ調整部６０１は、第２の実施の形態における番組データ格納部１０９内の３次元空間において、同じ座標に位置する番組データが複数ある場合、番組データの検索結果として抽出する順序を、サーバ制御部１１１から出力された評価データに基づいて、予め定められた規則に従って変更する。例えば、予め定められた規則が、評価データが“良い”なら２０前へ、“悪い”なら２０後ろへ、であり、同じ座標に位置する番組データが１００個存在し、その中の４０番目の番組データが、“良い”と評価された場合、番組データ調整部６０１は、番組データの順番を４０番から２０番へ変更し、他の番組データの順番をシフトする。その後、順番を変更した番組データに、ＩＤデータを付加する。
【００９３】
サーバ１０２において、サーバ制御部１１１が、別のサービス加入者の端末へＩＤデータを付加した番組データを送信する際、ＩＤデータを課金データ更新部６０２へ出力する。課金データ更新部６０２は、サーバ制御部１１１からＩＤデータが出力されると、ＩＤデータに対応するポイントデータを課金データ格納部６０３から検索し、検索結果であるポイントデータに特定のポイント数を加算し、更新したポイントデータをサーバ制御部１１１へ出力する。サーバ制御部１１１は、課金データ更新部６０２からポイントデータが出力されると、ポイントデータ通知をインタフェース部１０８を介して端末１０１へ送信する。
【００９４】
課金データ更新部６０２は、課金データ格納部６０３内に格納されているＩＤデータに対応するポイントデータが、ある一定の数を超えた場合に、課金データ格納部６０３に格納されているＩＤデータに対応する課金データの減算を行う。その後の動作は、第２の実施の形態と同様に行うものとする。
【００９５】
以下、その動作を、第２の実施の形態と同様の具体例を用いて説明する。
【００９６】
図７は、本発明の第３の実施の形態に係る番組データ配信サービスシステムの処理の流れを示すフローチャートである。
【００９７】
図７において、まず、第２の実施の形態と同様にして、番組データ検索部１１０からサーバ制御部１１１へ番組データ「ベビーモーツァルト」が出力される。サーバ制御部１１１は、番組データ検索部１１０から番組データ「ベビーモーツァルト」が出力されると、コメント入力画面と番組データ「ベビーモーツァルト」をインタフェース部１０８を介してサービス加入者Ａの端末１０１へ送信する（ステップＳ２５）。
【００９８】
端末１０１において、インタフェース部１０７でコメント入力画面と番組データ「ベビーモーツァルト」を受信すると、端末制御部１０６は、コメント入力画面と番組データ「ベビーモーツァルト」を表示部１０５へ出力する（ステップＳ２２）。そして、サービス加入者により、番組データ「ベビーモーツァルト」視聴後、入力部１０４に評価データ“ベビーモーツァルト：良い”が入力されると、評価データ“ベビーモーツァルト：良い”と、記録媒体読み書き部４０１から出力されたＩＤデータを、インタフェース部１０７を介してサーバ１０２へ送信する（ステップＳ２３）。
【００９９】
サーバ１０２において、インタフェース部１０８で評価データ“ベビーモーツァルト：良い”とＩＤデータが受信されると（ステップＳ２６）、サーバ制御部１１１は、評価データ“ベビーモーツァルト：良い”とＩＤデータを番組データ調整部６０１へ出力する。番組データ調整部６０１は、サーバ制御部１１１から出力された評価データ“ベビーモーツァルト：良い”に基づいて、番組データ「ベビーモーツァルト」の優先度を上げ、ＩＤデータを変更者として番組データ「ベビーモーツァルト」に付加する（ステップＳ２７）。
【０１００】
その後、別のサービス加入者Ｂの端末において、メモリカードが挿入され、ＩＤデータが読み込まれ（ステップＳ３６）、ＩＤデータと嗜好情報“やすらぐ”がサーバ１０２へ送信される（ステップＳ３７）。その後、第２の実施の形態と同様の動作が行われ、番組データの検索結果として優先順位の上がった「ベビーモーツァルト」が抽出され（ステップＳ２８〜Ｓ３１）、サービス加入者Ｂの端末から番組選択データ“ベビーモーツァルト”が送信される（ステップＳ３８）。サーバ１０２において、インタフェース部１０８でサービス加入者Ｂの端末から番組選択データ“ベビーモーツァルト”を受信すると（ステップＳ３２）、サーバ制御部１１１は、番組選択データ“ベビーモーツァルト”を番組データ検索部１１０へ出力する。番組データ検索部１１０は、サーバ制御部１１１から出力された番組選択データ“ベビーモーツァルト”に相当する、既にサービス加入者ＡのＩＤデータが付加された番組データ「ベビーモーツァルト」をサーバ制御部１１１へ出力する。
【０１０１】
サーバ制御部１１１は、番組データ検索部１１０から出力されたＩＤ付番組データ「ベビーモーツァルト」とコメント入力画面を、インタフェース部１０８を介してサービス加入者Ｂの端末へ送信する（ステップＳ３３）。サービス加入者Ｂの端末は、ＩＤ付番組データ「ベビーモーツァルト」とコメント入力画面を表示する（ステップＳ３９）。
【０１０２】
サーバ制御部１１１は、ＩＤ付番組データ「ベビーモーツァルト」とコメント入力画面の送信を完了すると、ＩＤ付番組データ「ベビーモーツァルト」に付加されているサービス加入者ＡのＩＤデータを課金データ更新部６０２へ出力する。課金データ更新部６０２は、サーバ制御部１１１からＩＤデータが出力されると、ＩＤデータに対応するポイントデータを課金データ格納部６０３から検索し、検索結果であるポイントデータに特定のポイント数を加算し、更新したポイントデータをサーバ制御部１１１へ出力する（ステップＳ３４）。ここで、サービス加入者Ａのポイントデータが、ある一定の数を超えた場合は、課金データ格納部６０３に格納されているＩＤデータに対応する課金データの減算を行う（ステップＳ３４）。サーバ制御部１１１は、課金データ更新部６０２からポイントデータが出力されると、ポイントデータ通知をインタフェース部１０８を介して端末１０１へ送信する（ステップＳ３５）。端末１０１において、インタフェース部１０７でポイントデータ通知を受信すると、端末制御部１０６は、表示部１０５へ出力する（ステップＳ２４）。
【０１０３】
これにより、サービス業者は、配信した番組に対するユーザーの感想を把握することができるため、人気のある番組の配信頻度を上げることができ、サービス性を向上することができる。また、ユーザーは、自分の評価で優先度が上がった番組が他のサービス加入者に配信されることで、サービス業者側で保存されているポイント数を増加させることができ、ポイント数がある一定の数に到達した場合、サービ使用料を減額することができ、よりサービスを利用し易くなる。さらに、サービス業者は、サービス使用料を割り引くことで多くのサービス加入者を確保することができ、結果的に多くの収益を得ることができる。
【０１０４】
（第４の実施の形態）
第４の実施の形態では、第２の実施の形態と同様にして、端末１０１が、メモリカード等の記録媒体内のデータに対して読み込みや書き込みを行い、サーバ１０２が、サービス加入時にサービス加入者に対してユーザーＩＤを割り当て、受信したサービス加入者の嗜好情報を基に番組の検索を行い、ユーザーＩＤに対応する課金データを、嗜好情報を受信するごとに更新し、端末１０１へ番組データ配信を行い、後日、サービス業者がユーザーＩＤに相当するサービス加入者へ、課金データに基づいてサービス使用料を請求する。
【０１０５】
第２の実施の形態との相違は、サーバ１０２が、ユーザーＩＤに対応するデータベースを生成し、サービス加入者の嗜好を対話ダイアログを送信することで自動抽出し、その結果に基づいて番組を検索し、検索結果である番組をユーザーＩＤに対応するデータベースへ格納し、さらに、ユーザーＩＤに対応するデータベースをサービス加入者の嗜好別に分類し、嗜好の類似したデータベース間における番組のやりとりを実現し、データベース内の番組を他のデータベースへ提供したサービス加入者に対してボーナスポイントを与え、ボーナス数がある一定の数以上蓄積された場合、サービス使用料を割り引く点である。
【０１０６】
図８は、本発明の第４の実施の形態に係る番組データ配信サービスシステムの構成を示すブロック図である。
【０１０７】
図８において、１０１〜１１１、４０１は、第２の実施の形態における、端末１０１、サーバ１０２、番組データ格納部１０３、入力部１０４、表示部１０５、端末制御部１０６、インタフェース部１０７、インタフェース部１０８、番組データ格納部１０９、番組データ検索部１１０、サーバ制御部１１１、記録媒体読み書き部４０１と同様である。そして、８０１は、サービス加入者ごとのデータベースを格納するユーザーデータベース格納部、８０２は、サービス加入時にサービス加入者に対してユーザーＩＤを割り当て、ユーザーデータベース格納部８０１内にＩＤデータに対応するデータベースを生成するＩＤ生成部、８０３は、サービス加入者の嗜好傾向を抽出する嗜好傾向抽出部、８０４は、ユーザーＩＤに対応する課金データとポイントデータを更新する課金データ更新部、８０５は、ユーザーＩＤに対応する課金データとポイントデータを格納する課金データ格納部、８０６は、サービス加入者の嗜好を自動抽出するためのダイアログデータを格納する対話格納部である。
【０１０８】
まず、サービス加入時における動作について、以下に述べる。
【０１０９】
端末１０１において、第２の実施の形態と同様にして、端末制御部１０６は、記録媒体読み書き部４０１にメモリカード等の記録媒体が挿入されると、挿入通知をインタフェース部１０７を介してサーバ１０２へ送信する。
【０１１０】
サーバ１０２において、インタフェース部１０８で挿入通知を受信すると、サーバ制御部１１１は、挿入通知をＩＤ生成部８０２へ出力する。ＩＤ生成部８０２は、サーバ制御部１１１から挿入通知が出力されると、サービス加入者に対してユーザーＩＤを割り当て、ＩＤデータをサーバ制御部１１１へ出力し、ユーザーデータベース格納部８０１内にＩＤデータに対応するデータベースを生成する。サーバ制御部１１１は、ＩＤ生成部８０２からＩＤデータが出力されると、ＩＤデータをインタフェース部１０８を介して端末１０１へ送信する。以後、第２の実施の形態と同様に動作する。
【０１１１】
次に、サービス加入後における動作について、以下に述べる。
【０１１２】
端末１０１において、サービス加入者により、記録媒体読み書き部４０１にメモリカード等の記録媒体が挿入されると、記録媒体読み書き部４０１は、メモリカード等の記録媒体内に記録されているＩＤデータを読み込み、端末制御部１０６へ出力する。端末制御部１０６は、記録媒体読み書き部４０１から出力されたＩＤデータをインタフェース部１０７を介してサーバ１０２へ送信する。
【０１１３】
サーバ１０２において、インタフェース部１０８でＩＤデータを受信すると、サーバ制御部１１１は、ある特定の間隔で、対話格納部８０６内に格納されている、サービス加入者の嗜好を自動抽出するためのダイアログデータを、インタフェース部１０８を介して端末１０１へ送信する。
【０１１４】
端末１０１において、インタフェース部１０７でダイアログデータを受信すると、端末制御部１０６は、ダイアログデータを表示部１０５へ出力する。サービス加入者により、ダイアログデータに対するユーザーデータが入力部１０４に入力されると、端末制御部１０６は、ユーザーデータと、記録媒体読み書き部４０１から出力されたＩＤデータを、インタフェース部１０７を介してサーバ１０２へ送信する。
【０１１５】
サーバ１０２において、インタフェース部１０８でユーザーデータとＩＤデータを受信すると、サーバ制御部１１１は、ユーザーデータを、ユーザーデータ格納部８０１内に格納されているＩＤデータに対応するデータベースへ格納する。以上の動作を数回繰り返し、ＩＤデータに対応するデータベース内のユーザーデータが、予め定められた数を蓄積すると、サーバ制御部１１１は、ユーザーデータを番組データ検索部１１０へ出力する。番組データ検索部１１０は、第２の実施の形態と同様にして、サーバ制御部１１１から出力されたユーザーデータを基に番組データを検索し、検索結果一覧を作成し、サーバ制御部１１１へ出力する。サーバ制御部１１１は、番組データ検索部１１０から検索結果一覧が出力されると、検索結果一覧に基づき、番組データ格納部１０９内から検索結果である番組データをユーザーデータベース格納部８０１内のＩＤデータに対応するデータベースへ格納する。その時、データベース内の内容を示す番組データ一覧を作成し、データベース内に格納し、インタフェース部１０８を介して端末１０１へ送信する。
【０１１６】
端末１０１において、インタフェース部１０７で番組データ一覧を受信すると、端末制御部１０６は、番組データ一覧を表示部１０５へ出力する。サービス加入者により、入力部１０４に番組データ取得要求が入力されると、端末制御部１０６は、番組データ取得要求と、記録媒体読み書き部４０１から出力されたＩＤデータを、インタフェース部１０７を介してサーバ１０２へ送信する。
【０１１７】
サーバ１０２において、インタフェース部１０８で番組データ取得要求とＩＤデータを受信すると、サーバ制御部１１１は、ユーザーデータベース格納部８０１内のＩＤデータに対応するデータベースから、番組データ取得要求に相当する番組データを、インタフェース部１０８を介して端末１０１へ送信する。以後、第２の実施の形態と同様に動作する。
【０１１８】
サーバ制御部１１１は、対話格納部８０６に格納されているダイアログデータの中から、送信用のダイアログデータをランダムに選択し、ある特定の間隔で端末１０１へ送信する。対話格納部８０６に格納されているダイアログデータは、サービス加入者に対して世間話のような会話を促す内容であり、例えば、「旅行いきたい」、「外国で好きな国は」「ドラマは良く見る」という内容の質問が記載されており、サービス加入者が質問に対して「Ｙｅｓ」、「Ｎｏ」、或いは選択肢の中から選択して回答する形をとるものである。
【０１１９】
次に、上述した動作が、複数のサービス加入者に対して繰り返された後の動作について、以下に述べる。
【０１２０】
サーバ１０２において、嗜好傾向抽出部８０３は、予め、ユーザーデータベース格納部８０１内において、複数存在するＩＤデータに対応するデータベースを、サーバ制御部１１１が各ＩＤデータに対応するデータベースに格納したユーザーデータを基に、嗜好別に分類しておく。そして、サーバ制御部１１１からＩＤデータが出力されると、ＩＤデータに対応するデータベースと同グループに分類されるデータベースのＩＤデータである類似ＩＤデータと、類似ＩＤデータのデータベース内容を示す番組データ一覧を、サーバ制御部１１１へ出力する。サーバ制御部１１１は、嗜好傾向抽出部８０３から出力された類似ＩＤデータと番組データ一覧を、インタフェース部１０８を介して端末１０１へ送信する。
【０１２１】
端末１０１において、インタフェース部１０７で類似ＩＤデータと番組データ一覧を受信すると、端末制御部１０６は、類似ＩＤデータと番組データ一覧を表示部１０５へ出力する。サービス加入者により番組データ取得要求が入力部１０４に入力されると、端末制御部１０６は、番組データ取得要求とＩＤデータを前記インタフェース部１０７を介してサーバ１０２へ送信する。
【０１２２】
サーバ１０２において、インタフェース部１０８で番組データ取得要求とＩＤデータを受信すると、サーバ制御部１１１は、ユーザーデータベース格納部８０１において、番組データ取得要求に相当する番組データを、類似ＩＤデータに対応するデータベースからＩＤデータに対応するデータベースへコピーし、コピー完了通知をインタフェース部１０８を介して端末１０１へ送信し、その後、類似ＩＤデータを課金データ更新部８０４へ出力する。課金データ更新部８０４は、サーバ制御部１１１から出力された類似ＩＤデータに対応するポイントデータを、課金データ格納部８０５から検索し、検索結果であるポイントデータに特定のポイント数を加算し、更新したポイントデータをサーバ制御部１１１へ出力する。サーバ制御部１１１は、課金データ更新部８０４からポイントデータが出力されると、ポイントデータ通知をインタフェース部１０８を介して端末１０１へ送信する。
【０１２３】
課金データ更新部８０４は、課金データ格納部８０５内に格納されている類似ＩＤデータに対応するポイントデータが、ある一定の数を超えた場合に、課金データ格納部８０５に格納されている類似ＩＤデータに対応する課金データの減算を行う。その後の動作は、第２の実施の形態と同様に行うものとする。
【０１２４】
図９は、嗜好傾向抽出部８０３が、ユーザーデータベース格納部８０１内のＩＤデータに対応するデータベースを分類する様子を示す図である。
【０１２５】
図９において、９０１は、ＩＤデータに対応するデータベースである。嗜好傾向抽出部８０３は、予め、ユーザーデータベース格納部８０１内において、複数存在するＩＤデータに対応するデータベース９０１に格納されているユーザーデータを参照して、ＩＤデータに対応するデータベース９０１を、ユーザーデータが共通するデータベースごとにグループ分けする。今、サーバ制御部１１１からＩＤデータＡが出力されたとすると、ＩＤデータＡのデータベースと同じグループに分類されたデータベースのＩＤデータであるＩＤデータＢ、ＩＤデータＲ、およびＩＤデータＴと、ＩＤデータＢ、ＩＤデータＲ、およびＩＤデータＴのデータベース内容を示す番組データ一覧Ｂ、番組データ一覧Ｒ、および番組データ一覧Ｔを、サーバ制御部１１１へ出力する。
【０１２６】
以下、その動作を、具体例を用いて説明する。ただし、予め定められたユーザーデータ数を３つとし、そのユーザーデータを抽出するために、サーバ制御部１１１が選択した対話ダイアログを、Ｄｉａｌｏｇｕｅ「好きな外国は」、Ｄｉａｌｏｇｕｅ「ドラマは好き」、およびＤｉａｌｏｇｕｅ「年齢は」とし、メモリカード等の記録媒体をメモリカードとする。
【０１２７】
まず、サービス加入後にユーザーデータベース格納部８０１内のデータベースに番組データが格納されていく様子について、説明する。
【０１２８】
図１０は、本発明の第４の実施の形態に係る番組データ配信サービスシステムの処理の流れを示す第１のフローチャートである。
【０１２９】
図１０において、まず、端末１０１において、記録媒体読み書き部４０１は、挿入されたメモリカードに記録されているＩＤデータを読み込み、端末制御部１０６へ出力する。端末制御部１０６は、記録媒体読み書き部４０１から出力されたＩＤデータをインタフェース部１０７を介してサーバ１０２へ送信する（ステップＳ４０）。
【０１３０】
サーバ１０２において、インタフェース部１０８でＩＤデータを受信すると（ステップＳ４６）、サーバ制御部１１１は、まず、対話格納部８０６内に格納されているダイアログデータであるＤｉａｌｏｇｕｅ「好きな外国は」を、インタフェース部１０８を介して端末１０１へ送信する（ステップＳ４７）。
【０１３１】
端末１０１において、インタフェース部１０７でＤｉａｌｏｇｕｅ「好きな外国は」を受信すると、端末制御部１０６は、Ｄｉａｌｏｇｕｅ「好きな外国は」を表示部１０５へ出力する（ステップＳ４１）。サービス加入者により、Ｄｉａｌｏｇｕｅ「好きな外国は」に対する回答「アメリカ」が入力部１０４に入力されると、ユーザーデータは、Ａｎｓｗｅｒ「アメリカ」となり、端末制御部１０６は、Ａｎｓｗｅｒ「アメリカ」と、記録媒体読み書き部４０１から出力されたＩＤデータを、インタフェース部１０７を介してサーバ１０２へ送信する（ステップＳ４１）。
【０１３２】
サーバ１０２において、インタフェース部１０８でＡｎｓｗｅｒ「アメリカ」とＩＤデータを受信すると、サーバ制御部１１１は、Ａｎｓｗｅｒ「アメリカ」を、ユーザーデータベース格納部８０１内に格納されているＩＤデータに対応するデータベースへ格納する（ステップＳ４８）。
【０１３３】
サーバ制御部１１１は、次に、対話格納部８０６内に格納されているＤｉａｌｏｇｕｅ「ドラマは好き」を、インタフェース部１０８を介して端末１０１へ送信する（ステップＳ４９）。端末１０１において、上記と同様にして、端末制御部１０６は、インタフェース部１０７で受信されたＤｉａｌｏｇｕｅ「ドラマは好き」を表示部１０５へ出力し（ステップＳ４２）、サービス加入者により「Ｙｅｓ」という回答が入力部１０４に入力されると、ユーザーデータＡｎｓｗｅｒ「ドラマ」とＩＤデータをサーバ１０２へ送信する（ステップＳ４２）。サーバ１０２において、サーバ制御部１１１は、インタフェース部１０８で受信したＡｎｓｗｅｒ「ドラマ」をユーザーデータベース格納部８０１内のＩＤデータに対応するデータベースへ格納する（ステップＳ５０）。
【０１３４】
サーバ制御部１１１は、さらに、対話格納部８０６内に格納されているＤｉａｌｏｇｕｅ「年齢は」を、インタフェース部１０８を介して端末１０１へ送信する（ステップＳ５１）。端末１０１において、上記と同様にして、端末制御部１０６は、インタフェース部１０７で受信されたＤｉａｌｏｇｕｅ「年齢は」を表示部１０５へ出力し（ステップＳ４３）、サービス加入者により「２６」という回答が入力部１０４に入力されると、ユーザーデータＡｎｓｗｅｒ「２０代」とＩＤデータをサーバ１０２へ送信する（ステップＳ４３）。サーバ１０２において、サーバ制御部１１１は、インタフェース部１０８で受信したＡｎｓｗｅｒ「２０代」をユーザーデータベース格納部８０１内のＩＤデータに対応するデータベースへ格納する（ステップＳ５２）。
【０１３５】
ここで、ＩＤデータに対応するデータベース内のユーザーデータが３つ蓄積したので、サーバ制御部１１１は、これらのユーザーデータを番組データ検索部１１０へ出力する。番組データ検索部１１０は、第２の実施の形態と同様にして、サーバ制御部１１１から出力された３つのユーザーデータを基に番組データを検索し、検索結果“ビバリーヒルズ高校白書”、“ダーマ＆グレッグ”、“フレンズ”、“ロズウェル”を基に検索結果一覧を作成し、サーバ制御部１１１へ出力する（ステップＳ５３）。サーバ制御部１１１は、番組データ検索部１１０から検索結果一覧が出力されると、検索結果一覧に基づき、番組データ格納部１０９内から検索結果である番組データ「ビバリーヒルズ高校白書」、「ダーマ＆グレッグ」、「フレンズ」、「ロズウェル」をユーザーデータベース格納部８０１内のＩＤデータに対応するデータベースへ格納する（ステップＳ５４）。そしてその時、データベース内に格納されているすべての番組データを示す番組データ一覧を作成し、データベース内に格納し、インタフェース部１０８を介して端末１０１へ送信する（ステップＳ５４）。
【０１３６】
端末１０１において、インタフェース部１０７で番組データ一覧を受信すると、端末制御部１０６は、番組データ一覧を表示部１０５へ出力する（ステップＳ４４）。サービス加入者により、入力部１０４に番組データ取得要求“ビバリーヒルズ高校白書”が入力されると、端末制御部１０６は、番組データ取得要求“ビバリーヒルズ高校白書”と、記録媒体読み書き部４０１から出力されたＩＤデータを、インタフェース部１０７を介してサーバ１０２へ送信する（ステップＳ４４）。
【０１３７】
サーバ１０２において、インタフェース部１０８で番組データ取得要求「ビバリーヒルズ高校白書」とＩＤデータを受信すると、サーバ制御部１１１は、ユーザーデータベース格納部８０１内のＩＤデータに対応するデータベースから、番組データ取得要求に相当する番組データ「ビバリーヒルズ高校白書」を、インタフェース部１０８を介して端末１０１へ送信する（ステップＳ５５）。そして、端末１０１において、インタフェース部１０７で番組データ「ビバリーヒルズ高校白書」を受信する（ステップＳ４５）。
【０１３８】
次に、上記の処理が複数のサービス加入者に対して繰り返された後の動作について、以下に述べる。
【０１３９】
図１１は、本発明の第４の実施の形態に係る番組データ配信サービスシステムの処理の流れを示す第２のフローチャートである。
【０１４０】
図１１において、予め、嗜好傾向抽出部８０３は、ユーザーデータベース格納部８０１内において、複数存在するＩＤデータに対応するデータベースを、サーバ制御部１１１が各ＩＤデータに対応するデータベースに格納したユーザーデータを基に、嗜好別に分類する（ステップＳ６０）。サーバ制御部１１１は、インタフェース部１０８でＩＤデータＡを受信すると（ステップＳ５６、Ｓ６１）、ＩＤデータＡを嗜好傾向抽出部８０３へ出力する。嗜好傾向抽出部８０３は、サーバ制御部１１１から出力されたＩＤデータＡに対応するデータベースと同グループ（アメリカンドラマ好き）に分類されるデータベースのＩＤデータであるＩＤデータＢと、ＩＤデータＢのデータベース内容を示す番組データ一覧Ｂを、サーバ制御部１１１へ出力する。サーバ制御部１１１は、嗜好傾向抽出部８０３から出力されたＩＤデータＢと番組データ一覧Ｂを、インタフェース部１０８を介して端末１０１へ送信する（ステップＳ６２）。
【０１４１】
端末１０１において、インタフェース部１０７でＩＤデータＢと番組データ一覧Ｂを受信すると、端末制御部１０６は、ＩＤデータＢと番組データ一覧Ｂを表示部１０５へ出力する（ステップＳ５７）。サービス加入者により番組データ一覧Ｂを閲覧した後、番組データ取得要求“アリーマイラブ”が入力部１０４に入力されると、端末制御部１０６は、番組データ取得要求“アリーマイラブ”とＩＤデータＡを前記インタフェース部１０７を介してサーバ１０２へ送信する（ステップＳ５８）。
【０１４２】
サーバ１０２において、インタフェース部１０８で番組データ取得要求“アリーマイラブ”とＩＤデータＡを受信すると（ステップＳ６３）、サーバ制御部１１１は、ユーザーデータベース格納部８０１において、番組データ取得要求“アリーマイラブ”に相当する番組データ「アリーマイラブ」を、ＩＤデータＢに対応するデータベースからＩＤデータＡに対応するデータベースへコピーし、コピー完了通知をインタフェース部１０８を介して端末１０１へ送信する（ステップＳ６４）。そしてその後、ＩＤデータＢを課金データ更新部８０４へ出力する。課金データ更新部８０４は、サーバ制御部１１１から出力されたＩＤデータＢに対応するポイントデータを、課金データ格納部８０５から検索し、検索結果であるポイントデータに特定のポイント数を加算し、更新したポイントデータをサーバ制御部１１１へ出力する（ステップＳ６５）。ここで、ＩＤデータＢのポイントデータが、ある一定の数を超えた場合、課金データ格納部８０５に格納されているＩＤデータＢに対応する課金データの減算を行う（ステップＳ６５）。サーバ制御部１１１は、課金データ更新部８０４からポイントデータが出力されると、ポイントデータ通知をインタフェース部１０８を介してサービス加入者Ｂの端末へ送信する（ステップＳ６６）。そして、サービス加入者Ｂの端末において、ポイントデータ通知が表示される（ステップＳ６７）。
【０１４３】
なお、ここでは、ユーザーデータベース格納部８０１内のＩＤデータに対応するデータベースにおいて、番組データを格納する期限を設けていなかったが、予め、期限を設定し、或いは、サービス加入者が期限を選択し、それに従って番組データを削除してもよい。
【０１４４】
これにより、ユーザーは、検索作業を行う、という意識を持つことなく、嗜好情報をサーバへ送信することができ、その結果、自分の興味に沿った番組データをサーバ上にある自分専用データベースへ蓄積することができる。従って、サーバが、ユーザーの嗜好を自動的に分析し、ユーザーの気に入りそうな番組を収集してデータベースへ保存するため、ユーザーにおける、検索システムに対する“煩わしい”というイメージを除去することができる。また、ユーザーは、他の、自分と嗜好が類似するサービス加入者のデータベース内に格納されている番組も視聴することができ、自分では見逃していた、興味のある番組を確実に視聴することができる。また、ユーザーは、自分のデータベース内にある番組が他のサービス加入者のデータベースへコピーされた場合、ボーナスポイントを取得することができ、自分のデータベースの内容を充実したものにすれば、他のサービス加入者にデータベース内の番組をコピーされることが多くなり、ポイント数を増加させることができ、ポイント数がある一定の数に到達した場合、サービス使用料を減額することができ、よりサービスを利用し易くなる。また、サービス業者は、サービス使用料を割り引くことで多くのサービス加入者を確保することができ、結果的に多くの収益を得ることができる。
【０１４５】
なお、オープンなシステムでは、ユーザーＩＤに対応したデータベース間で番組データや嗜好情報のやりとり等を行うことについては、ユーザーによっては嗜好が漏れる等の理由より望まないこともある。従ってこのような場合は、ユーザー毎に番組データや嗜好情報を他ユーザーにコピーしたり使用してよいかの許可情報を入力しておき、許可ある場合だけデータベース間で番組データや嗜好情報のやりとりを可能とするようにすれば良い。
【０１４６】
（第５の実施の形態）
第５の実施の形態では、第４の実施の形態と同様にして、端末１０１が、メモリカード等の記録媒体内のデータに対して読み込みや書き込みを行い、サーバ１０２が、サービス加入時にサービス加入者に対してユーザーＩＤを割り当て、ユーザーＩＤに対応するデータベースをサービス加入者の嗜好別に分類して格納し、サービス加入者の嗜好を対話ダイアログで自動抽出し、その結果に基づいて番組を検索し、検索結果である番組をユーザーＩＤに対応するデータベースへ格納する。また、データベース内の番組を他のデータベースへ提供したサービス加入者に対してボーナスポイントを与え、ボーナス数がある一定の数以上蓄積した場合、サービス使用料を割り引く。
【０１４７】
第４の実施の形態との相違は、サーバ１０２が、番組データだけでなく、ＣＭデータも収集して格納し、サービス加入者の嗜好に基づいて配信する点だけである。
【０１４８】
図１２は、本発明の第５の実施の形態に係る番組データ配信サービスシステムの構成を示すブロック図である。
【０１４９】
図１２において、１０１〜１１１、４０１、８０１〜８０６は、第４の実施の形態における、端末１０１、サーバ１０２、番組データ格納部１０３、入力部１０４、表示部１０５、端末制御部１０６、インタフェース部１０７、インタフェース部１０８、番組データ格納部１０９、番組データ検索部１１０、サーバ制御部１１１、記録媒体読み書き部４０１、ユーザーデータベース格納部８０１、ＩＤ生成部８０２、嗜好傾向抽出部８０３、課金データ更新部８０４、課金データ格納部８０５、対話格納部８０６である。１２０１は、ＣＭデータを格納するＣＭ格納部である。
【０１５０】
サーバ１０２において、サーバ制御部１１１は、ＣＭデータの配信を許可するかどうか、また許可する場合、どのようなジャンルを要求するか、を選択する、ＣＭ配信許可画面をインタフェース部１０８を介して端末１０１へ送信する。端末制御部１０６は、インタフェース部１０７から入力されたＣＭ配信許可画面を表示部１０５へ出力し、サービス加入者により入力部１０４にＣＭ配信許可データが入力されると、インタフェース部１０７を介してサーバ１０２へ送信する。サーバ制御部１１１は、インタフェース部１０８から入力されたＣＭ配信許可データに基づいて、ＣＭ格納部１２０１からＣＭデータをユーザーデータベース格納部８０１内のＩＤデータに対応するデータベースへ格納する。そして、ＩＤデータを課金データ更新部８０４へ出力する。その後、番組データをインタフェース部１０８を介して端末１０１へ送信する際、ＣＭデータも一緒に送信する。課金データ更新部８０４は、サーバ制御部１１１から出力されたＩＤデータに対応する課金情報を課金データ格納部８０５から検索し、課金データの減算を行う。その後は、第４の実施の形態と同様の動作を行う。
【０１５１】
これにより、ユーザーは、自分の嗜好に合ったＣＭを視聴することができ、興味のあるものに関して情報を入手することができ、日常生活に役立てることができる。また、番組と一緒にＣＭを受信することを許可したならば、サービス使用料を減額することができ、よりサービスを利用し易くなる。また、サービス業者にとっても、ＣＭを配信するユーザーのサービス使用料を割り引く代わりに、ＣＭデータを提供する業者からユーザーへの配信料を回収することができ、結果的に多くの収益を得ることができる。
【０１５２】
【発明の効果】
以上説明したところから明らかなように、本発明によれば、ユーザーは、既に放送が終了した番組においても、サーバから簡単に番組を取得できるため、自分の興味に沿った番組の見逃しを防ぐことができる。さらに、ユーザーにおいて、録画しようという意志がなくても、様々な番組を視聴することができるようになる。また、ユーザーは、番組検索結果が複数ある場合、受信する番組を選択することで、あまり見たいと思わない番組までも受信することがなくなり、ユーザーが保持する端末における記録メディアの内容をコントロールすることができる。さらに、番組データ配信の際の能率を上げることができる。
【０１５３】
また、本発明によれば、ユーザーは、メモリカード等の記録媒体を読み込む機能が搭載された別の端末においても番組を視聴することができ、番組のデータを容易に持ち運ぶことができるようになる。さらに、端末が携帯できるものである場合、移動中においても番組を視聴することができるようになる。また、ユーザーが、端末にメモリカード等の記録媒体を挿入してサーバへアクセスした場合、サーバが、アクセスしてきたユーザーを判別することで、サービス業者は、ユーザーが嗜好情報をサーバへ送信するたびに、ユーザーのＩＤと対応する課金データを更新して嗜好情報代金を回収することができ、サーバのメンテナンス費用や運営費等の経費を確実に回収することができる。
【０１５４】
また、本発明によれば、サービス業者は、配信した番組に対するユーザーの感想を把握することができるため、人気のある番組の配信頻度を上げることができ、サービス性を向上することができる。また、ユーザーは、自分の評価で優先度が上がった番組が他のサービス加入者に配信されることで、サービス業者側で保存されているポイント数を増加させることができ、ポイント数がある一定の数に到達した場合、サービ使用料を減額することができ、よりサービスを利用し易くなる。さらに、サービス業者は、サービス使用料を割り引くことで多くのサービス加入者を確保することができ、結果的に多くの収益を得ることができる。
【０１５５】
また、本発明によれば、ユーザーは、検索作業を行う、という意識を持つことなく、嗜好情報をサーバへ送信することができ、その結果、自分の興味に沿った番組データをサーバ上にある自分専用データベースへ蓄積することができる。従って、サーバが、ユーザーの嗜好を自動的に分析し、ユーザーの気に入りそうな番組を収集してデータベースへ保存するため、ユーザーにおける、検索システムに対する“煩わしい”というイメージを除去することができる。また、ユーザーは、他の、自分と嗜好が類似するサービス加入者のデータベース内に格納されている番組も視聴することができ、自分では見逃していた、興味のある番組を確実に視聴することができる。また、ユーザーは、自分のデータベース内にある番組が他のサービス加入者のデータベースへコピーされた場合、ボーナスポイントを取得することができ、自分のデータベースの内容を充実したものにすれば、他のサービス加入者にデータベース内の番組をコピーされることが多くなり、ポイント数を増加させることができ、ポイント数がある一定の数に到達した場合、サービス使用料を減額することができ、よりサービスを利用し易くなる。また、サービス業者は、サービス使用料を割り引くことで多くのサービス加入者を確保することができ、結果的に多くの収益を得ることができる。
【０１５６】
また、本発明によれば、ユーザーは、自分の嗜好に合ったＣＭを視聴することができ、興味のあるものに関して情報を入手することができ、日常生活に役立てることができる。また、番組と一緒にＣＭを受信することを許可したならば、サービス使用料を減額することができ、よりサービスを利用し易くなる。また、サービス業者にとっても、ＣＭを配信するユーザーのサービス使用料を割り引く代わりに、ＣＭデータを提供する業者からユーザーへの配信料を回収することができ、結果的に多くの収益を得ることができる。
【図面の簡単な説明】
【図１】本発明の第１の実施の形態に係る番組データ配信サービスシステムの構成を示すブロック図
【図２】番組データ格納部１０９内に番組データが格納されている様子を示す図
【図３】本発明の第１の実施の形態に係る番組データ配信サービスシステムの処理の流れを示すフローチャート
【図４】本発明の第２の実施の形態に係る番組データ配信サービスシステムの構成を示す図
【図５】本発明の第２の実施の形態に係る番組データ配信サービスシステムの処理の流れを示すフローチャート
【図６】本発明の第３の実施の形態に係る番組データ配信サービスシステムの構成を示すブロック図
【図７】本発明の第３の実施の形態に係る番組データ配信サービスシステムの処理の流れを示すフローチャート
【図８】本発明の第４の実施の形態に係る番組データ配信サービスシステムの構成を示すブロック図
【図９】嗜好傾向抽出部８０３が、ユーザーデータベース格納部８０１内のＩＤデータに対応するデータベースを分類する様子を示す図
【図１０】本発明の第４の実施の形態に係る番組データ配信サービスシステムの処理の流れを示す第１のフローチャート
【図１１】本発明の第４の実施の形態に係る番組データ配信サービスシステムの処理の流れを示す第２のフローチャート
【図１２】本発明の第５の実施の形態に係る番組データ配信サービスシステムの構成を示すブロック図
【符号の説明】
１０１　端末
１０２　サーバ
１０３　番組データ格納部
１０４　入力部
１０５　表示部
１０６　端末制御部
１０７　インタフェース部
１０８　インタフェース部
１０９　番組データ格納部
１１０　番組データ検索部
１１１　サーバ制御部
４０１　記録媒体読み書き部
４０２　ＩＤ生成部
４０３　課金データ更新部
４０４　課金データ格納部
６０１　番組データ調整部
６０２　課金データ更新部
６０３　課金データ格納部
８０１　ユーザーデータベース格納部
８０２　ＩＤ生成部
８０３　嗜好傾向抽出部
８０４　課金データ更新部
８０５　課金データ格納部
８０６　対話格納部
９０１　データベース
１２０１　ＣＭ格納部
【図１】
2004072300.tif 000003
【図２】
2004072300.tif 000004
【図３】
2004072300.tif 000005
【図４】
2004072300.tif 000006
【図５】
2004072300.tif 000007
【図６】
2004072300.tif 000008
【図７】
2004072300.tif 000009
【図８】
2004072300.tif 000010
【図９】
2004072300.tif 000011
【図１０】
2004072300.tif 000012
【図１１】
2004072300.tif 000013
【図１２】
2004072300.tif 000014